(57)【要約】【課題】本発明は、外形のサイズを出来る限りコンパクトにしうると共に、使用時には使いやすい長さにセット出来、さらには一週間程度の短期間の使用に対応させて使用部品を削減し、もって製造コストを安価にした塗布具を提供することを目的とする。【解決手段】本発明は、略円筒状をなし、先端部には棒状芯材の保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられたことを特徴とする。【選択図】  図１
2019136280.tif 000002
【特許請求の範囲】
【請求項１】
略円筒状をなし、先端部には棒状芯材の保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられた、
ことを特徴とする塗布具。
【請求項２】
前記尾栓には、前記ボディの後端部端面に係止する係止片が設けられた、
ことを特徴とする請求項１記載の塗布具。
【請求項３】
前記棒状芯材と保持部との間にはノーズピース部材が介在されている、
ことを特徴とする請求項１または請求項２記載の塗布具。
【請求項４】
前記尾栓には、該尾栓の軸心方向後端面に開口を有して軸心方向に延びる伸縮用空洞部が設けられた、
ことを特徴とする請求項１、請求項２または請求項３記載の塗布具。
【請求項５】
前記棒状芯材とノーズピース部材との間には外部とボディ内とを連通する空気流通溝が設けられた、
ことを特徴とする請求項１、請求項２、請求項３または請求項４記載の塗布具。
【発明の詳細な説明】
【技術分野】
【０００１】
本発明は、例えばアイライナーやアイブローのような化粧用具、あるいは頭髪や眉毛などの部分白髪染め具など、液状塗布材を棒状塗布部である芯材に浸潤させ、これを先端部より所定箇所に塗布あるいは描画して使用する塗布具に係り、特に一週間など短期間のみ使用する場合に対応出来るように創案された塗布具に関するものである。
【背景技術】
【０００２】
従来、アイライナーなど内部に液状塗布材を貯留し、この液状塗布材を繊維部材などからなる棒状塗布部材に吸収、浸潤させ、該塗布部材の先端塗布部によって所定箇所に塗布あるいは描画する塗布具は一般に知られている。
【０００３】
しかしながら、これら塗布具は、数ヶ月間の使用に対応すべく製造されており、例えば、ハロウィンや仮装の必要がある場合になど特殊なメークを行う場合など、前記の様な数ヶ月間の使用に対応して製造、販売された塗布具であると、２乃至３回ほど使用した後には使用機会がなく、そのまま使用期限が途過してしまい、最終的にほとんど液状塗布材が残存しているにもかかわらず廃棄してしまうとの課題があった。
【先行技術文献】
【特許文献】
【０００４】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００５】
かくして、本発明による塗布具は、前記従来の課題を解決するために創案されたものであって、外形のサイズを出来る限りコンパクトにしうると共に、使用時には使いやすい長さにセット出来、さらには一週間程度の短期間の使用に対応させて使用部品を削減し、もって製造コストを安価にした塗布具を提供することを目的とするものである。
【課題を解決するための手段】
【０００６】
本発明による塗布具は、
略円筒状をなし、先端部には棒状芯材の保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられた、
ことを特徴とし、
または、
前記尾栓には、前記ボディの後端部端面に係止する係止片が設けられた、
ことを特徴とし、
または、
前記棒状芯材と保持部との間にはノーズピース部材が介在されている、
ことを特徴とし、
または、
前記尾栓には、該尾栓の軸心方向後端面に開口を有して軸心方向に延びる伸縮用空洞部が設けられた、
ことを特徴とし、
または、
前記棒状芯材とノーズピース部材との間には外部とボディ内とを連通する空気流通溝が設けられた、
ことを特徴とするものである。
【発明の効果】
【０００７】
本発明による塗布具であれば、形のサイズを出来る限りコンパクトにしうると共に、使用時には使いやすい長さにセット出来、さらには一週間程度の短期間の使用に対応させて使用部品を削減し、もって製造コストを安価にした塗布具を提供できるとの優れた効果を奏する。
【図面の簡単な説明】
【０００８】
【図１】本発明の第一実施例による塗布具の構成を説明する説明図（１）である。
【図２】本発明の第一実施例による塗布具の構成を説明する説明図（２）である。
【図３】本発明の第二実施例による塗布具の構成を説明する説明図（１）である。
【図４】本発明の第二実施例による塗布具の構成を説明する説明図（２）である。
【図５】本発明の第三実施例による塗布具の構成を説明する説明図（１）である。
【図６】本発明の第三実施例による塗布具の構成を説明する説明図（２）である。
【図７】本発明の第四実施例による塗布具の構成を説明する説明図（１）である。
【図８】本発明の第四実施例による塗布具の構成を説明する説明図（２）である。
【図９】図２、図４のＡ−Ａ線断面図である。
【図１０】空気流通溝の他の実施例を示す断面図（１）である。
【図１１】図６、図８のＡ−Ａ線断面図である。
【図１２】空気流通溝の他の実施例を示す断面図（２）である。
【発明を実施するための形態】
【０００９】
以下、図に基づいて本発明の第一実施例による塗布具１の構成を説明する。
本発明による塗布具１は、略円筒状をなすボディ２を有している。そして、このボディ２の先端部には、棒状芯材３を保持する保持部４がボディ２と一体形成されている。
【００１０】
ここで、図１に示すタイプの棒状芯材３は、ナイロンなど合成樹脂材を棒状ペンタイプの描画部材として構成しており、この棒状芯材３には、あらかじめ液状塗布材が染み込ませてある。よって、この染み込ませた液状塗布材がなくなるまで使用できるものとなる。
【００１１】
このペンタイプの棒状芯材３であれば、ラインがぶれずに描きやすく、濃く発色させることもできる。また、比較的棒状芯材３の先端部につき、こしが強く形成でき、いわゆる使用の初心者であっても比較的、描きやすいという特徴がある。
【００１２】
尚、この棒状芯材３の長さが異なるものを、それぞれ用意し、それらを取り替えて取り付ければ、長さの異なる棒状芯材３の変更のみで、使用期間を短いものから長いものまで変更できる塗布具が数種類提供できることにもなる。
【００１３】
前記保持部４には、その軸心方向に棒状芯材３が嵌挿する貫通保持孔５が設けられている。そして、保持部４は、取り付けられる棒状芯材３の先端側に向かってやや先細り状になるようその外形が形成されており、また、保持部４の径方向外周面は、内部に円状空間を有する円筒状をなすキャップ部材６におけるキャップ口７の内部空間内周面が密着して嵌り込む略円柱状の形状として構成されている。
【００１４】
そして、前記保持部４の外周面を例えば軸心方向に向かって若干波状をなす凹凸面として形成し、前記キャップ部材６のキャップ口７の内部空間内周面も前記保持部４の外周面に形成された凹凸面に嵌合する波状の凹凸面に形成すれば、キャップ部材６を保持部４に嵌め込んだとき、前記双方の凹凸面が嵌合して、キャップ部材６が容易に抜けない構成にすることが出来る。
【００１５】
また、前記キャップ部材６の内部の空間を出来るだけ狭くし、気密性を担保して、前記棒状芯材３に染みこんだ液状塗布材が乾かないように構成すべく、キャップ部材６を前記保持部４の場合と同様に先端側に向かって先細りとなる形状にしておくことが好ましい。
【００１６】
尚、前記キャップ部材６を保持部４に嵌め込むことにより、保持部４に設けられた貫通保持孔５には、その外周面側から軸心方向中心部に向かって、すなわち、保持部４の径方向に向かって前記嵌合による締め付け押圧力が加わり、該貫通保持孔５を貫通する棒状芯材３を締め付けて保持することにもなる。これによって棒状芯材３は保持部４から簡単に引き抜けない。
【００１７】
さらに、保持部４と棒状芯材３の後端部との間には固定部材１６が介在しており、該固定部材１６の固定孔１９に棒状芯材３の後端部が嵌入して、棒状芯材３の後端部が該固定部材１６を介して保持部４に固定されるものとなっている。
しかも前記固定部材１６はボディ２の内部空間に嵌入しており、ボディ２内から容易に抜けない。
【００１８】
よって、棒状芯材３は、保持部４の先端側に設けられた係止壁１７に棒状芯材３の係止壁１８が係止すると共に、棒状芯材３の後端部が前記固定部材１６に固定され、もって、一層、保持部４から棒状芯材３が抜けないように構成されている。
【００１９】
尚、固定孔１９の底部には空間部２３が形成され、該空間部２３は、棒状芯材３に染み込んだ液状塗布材が容易にペン先側にはき出るよう空気流通機構を果たす空間となっている。さらに、たとえ、棒状芯材３が若干長さ方向に膨張したとしても固定部材１６が保持部４から外れないよう、前記棒状芯材３の長さを吸収する吸収空間の役目も果たしている。
【００２０】
符号８は尾栓であり、該尾栓８は、ボディ２の後端部開口からボディ２の内部空間に嵌め込まれて取り付けられる。
【００２１】
尾栓８の外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８のボディ２への挿入しすぎを防止する構成になっている。
【００２２】
符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は、ボディ２の径方向に伸縮し、弾発力をもって、ボディ２の後端開口へ嵌まり、容易に抜出することがない。尚、本実施例ではこの伸縮用空洞部１１の開口は塗布具１の先端側になっているが、逆に塗布具１の後端側に開口が向くよう構成しても構わない。
【００２３】
また、尾栓８の係止片１０が設けられた箇所から後方の部分は、キャップ部材６の装着部１２として構成される。塗布具１の使用時には、この装着部１２にキャップ部材６を嵌め込み、塗布具１が使用しやすい長さとなるよう工夫されているのである。
【００２４】
図９は図２または図４のＡ−Ａ線断面図である。図９に示すように、棒状芯材３は保持部４を軸心方向に嵌挿してボディ２に取り付けられている。そして、棒状芯材３と保持部４との当接面部には空気流通溝２２となる空間が設けられており、該空気流通溝２２により、外部とボディ２の内部とを連通させて棒状芯材３に染み込んだ液状塗布材の流れをスムーズにし、ペン先でのかすれや液不足が起きないように構成されている。
【００２５】
ここで、この空気流通溝２２については、保持部４側に設けられているが、それに限定されない。棒状芯材３側に形成してもかまわない。また、この実施例では、空気流通溝２２はリング状に４カ所設けられているが、設けられる箇所や個数についても何ら限定されるものではない。また、空気流通溝２２は、図１０に示す様な形状の溝でも構わない。
【００２６】
図２に示すように、本発明による塗布具１の使用時には、キャップ部材６をボディ２の保持部４から外す。そして、外したキャップ部材６を尾栓８の装着部１２の嵌め込むのである。これにより本発明の塗布具１はきわめて使用しやすい長さを確保することが出来る。すなわち、未使用時には短くコンパクトな形状の塗布具１として提供できるため、女性用の比較的小さなバッグ内に収納できるものとなっている。そして、使用時には長くすることが出来て非常に操作しやすいものとなっている。
【００２７】
尚、前述した伸縮用空洞部１１であるが、尾栓８の後端側から塗布部１の先端側に向かって、伸縮用空洞部１１における内径の大きさが徐々に大きくなるよう形成することも考えられる。このような構成であれば、より尾栓８のボディ２への取り付け強度を高めることが出来る。さらに、ボディ２の内周面と尾栓８の外周面に各々嵌り合う凸部２０と凹部２１を形成しておくことが好ましい。また、図に示すように、伸縮用空洞部１１を構成する尾栓８の外周壁の肉厚を係止片１０の形成箇所から開口側に向かって厚くしておくことにより、さらに尾栓８のボディ２に対する取付強度を向上させることが出来る。
【００２８】
次に、図３及び図４に本発明の第二実施例を示す。第二実施例では、棒状心材３として、いわゆる毛筆の筆先と同じように例えば、細い線状をなす合成繊維を束ねてブラシ状にし、このブラシ状に束ねたものを棒状芯材３として使用したものである。この様なブラシ状の棒状芯材３は、染みこませる液状塗布材の量を第一実施例のペンタイプより多く筆先内部に貯留できる。よってブラシ状の棒状芯材３の長さを短くしても、液切れしないため長期間の使用が出来る。
【００２９】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【００３０】
次に、本発明の第三実施例による塗布具１の構成を説明する。
本実施例の塗布具１についても、略円筒状をなすボディ２を有している。そして、このボディ２の先端部には、後述する棒状芯材３を保持する保持部４がボディ２と一体形成されている。
【００３１】
ここで、図５に示すタイプの棒状芯材３は、ナイロンなど合成樹脂材をペンタイプの描画部材として構成されており、この棒状芯材３には、あらかじめ液状塗布材が染み込ませてある。よって、この染み込ませた液状塗布材がなくなるまで使用できるものとなる。このペンタイプには、ラインがぶれずに描きやすいペンタイプ、濃く発色させられるペンタイプなどがあり、比較的こしがかたく初心者でも描きやすいことすでに述べたとおりである。
【００３２】
前記保持部４には、その軸心方向に棒状芯材３が嵌挿する貫通保持孔５が設けられている。そして、保持部４は、取り付けられる棒状芯材３の先端側に向かってやや先細り状になるよう形成されており、また、保持部４の外周面は、内部に円状空間を有する円筒状をなすキャップ部材６におけるキャップ口７の内部空間内周面が密着して嵌り込む略円柱状の形状として構成されている。
【００３３】
そして、前記保持部４の外周面は若干波状の凹凸面として形成し、前記キャップ部材６のキャップ口７の内部空間内周面も前記保持部４の外周面に形成された波状の凹凸面に嵌合する凹凸面に形成すれば、キャップ部材６を保持部４に嵌め込んだとき、前記双方の凹凸面が嵌合して、キャップ部材６が容易に抜けない構成にすることが出来る。
【００３４】
そして、前記キャップ部材６の内部において出来るだけ空間を狭くし、気密性が担保できる構成にすべく、キャップ部材６も先端側に向かって先細りとなる形状にしておくことが好ましい。
【００３５】
尚、前記キャップ部材６を保持部４に嵌め込むことにより、保持部４に設けられた貫通保持孔５には、その外周面側から軸心方向中心部に向かって、すなわち、保持部４の径方向に向かって前記嵌合による締め付け押圧力が加わり、該貫通保持孔５を貫通する棒状芯材３を締め付けて保持することにもなる。これによって棒状芯材３は保持部４から簡単に引き抜けない。
【００３６】
さらに、保持部４と棒状芯材３との間にはノーズピース部材１３が介在しており、棒状芯材３の外周面と前記ノーズピース部材１３の内周面には、各々係止段部１４、１５が形成されて、両者が嵌り合い、容易に棒状芯材３が抜けないように構成されている。
【００３７】
また、ノーズピース部材１３の後端部は、該ノーズピース部材１３の後端部と対向する尾栓８の押さえ部材９に当接して取り付けられる構成となっている。
よって、ノーズピース部材１３及び棒状芯材３は、特に尾栓８側に向かって容易に抜けない構成になっており、塗布具使用時において、棒状芯材３が不意に保持部４の内側に引っ込むような不具合が起こらないよう工夫されている。
【００３８】
図から理解されるように、ノーズピース部材１３は、後方側でノーズピース部材１３の内周突壁２４が保持部４の突壁２５に密接しており、前記押さえ部材９の押圧と共に、強固にノーズピース部材１３を保持部４に保持している。
【００３９】
次に、尾栓８はボディ２の後端部開口からボディ２の内部空間に嵌め込まれて取り付けられる。
【００４０】
尾栓８の後方側外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８の挿入しすぎを防止する構成になっている。
【００４１】
次に、符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は径方向に伸縮し、弾性力をもって、ボディ２の後端開口へ嵌まり、容易に抜出することがない。
【００４２】
尚、尾栓８の係止片１０が設けられた箇所から後方の部分は、キャップ部材６の装着部１２として構成される。この装着部１２にキャップ部材６を嵌め込み、塗布具１の使用時に使用しやすい長さとなるよう工夫されている。
【００４３】
図１１は図６または図８のＡ−Ａ線断面図である。図１１に示すように、棒状芯材３はノーズピース部材１３を軸心方向に嵌挿してボディ２に取り付けられている。そして、棒状芯材３とノーズピース部材１３との当接面部には空気流通溝２２が設けられており、該空気流通溝２２により、外部とボディ２の内部とを連通させて棒状芯材３に染み込んだ液状塗布材の流れをスムーズにし、ペン先でのかすれや液不足が起きないように構成されている。この空気流通溝２２については、ノーズピース部材１３側に設けられているが、それに限定されない。棒状芯材３側に形成してもかまわない。また、この実施例では、空気流通溝２２は４カ所に設けられているが、設けられる箇所や個数についても何ら限定されない。図１２に示すような空気流通溝２２であっても構わない。
【００４４】
本実施例による塗布具１の使用時には、キャップ部材６をボディ２の保持部４から外す。そして、そして外したキャップ部材６を尾栓８の装着部１２の嵌め込むのである（図６参照）。これにより本実施例の塗布具１はきわめて使用しやすい長さを確保することが出来る。すなわち、未使用時には短くコンパクトな形状の塗布具として提供でき、使用時には長くすることが出来て使用しやすいものとなっているのである。
【００４５】
尚、前述した伸縮用空洞部１１であるが、尾栓８の先端側から装着部１２が構成された後端側に向かって、伸縮用空洞部１１における内径の大きさが徐々に大きくなるよう形成することも考えられる。このような構成であれば、より尾栓８のボディ２への取り付け強度を高めることが出来る。
【００４６】
次に、図７及び図８に本発明の第四実施例を示す。第四実施例では、棒状心材３として、いわゆる毛筆の筆先と同じように例えば、細い線状の合成繊維を束ねてブラシ状にし、このブラシ状に束ねたものを棒状芯材３として使用したものである。この様なブラシ状の棒状芯材３は、染みこませた液状塗布材を第一実施例のペンタイプより多く筆先内部に貯留できる。よってブラシ状の棒状芯材３の長さを短くしても、液切れしないため長期間の使用が出来る。
【００４７】
尚、本実施例のブラシタイプでは、筆先を毛筆の筆先のように細くすることが出来るため、もって細いラインを確実に引くことが出来る。また太いラインを引きたい場合には、筆先を描画箇所側に押し付けて描画すれば、太いラインであっても確実に引くことができる。この様に、ブラシの毛にハリがあるため、細いラインから太いラインまで、自在に引くことが出来るとの特徴を有している。
【符号の説明】
【００４８】
１      塗布具
２      ボディ
３      棒状芯材
４      保持部
５      貫通保持孔
６      キャップ部材
７      キャップ口
８      尾栓
９      押さえ部材
１０    係止片
１１    伸縮用空洞部
１２    装着部
１３    ノーズピース部材
１４    係止凹部
１５    係止凸部
１６    固定部材
１７    係止壁
１８    係止壁
１９    固定孔
２０    凸部
２１    凹部
２２    空気流通溝
２３    空間部
２４    内周突壁
２５    突壁
【図１】
2019136280.tif 000003
【図２】
2019136280.tif 000004
【図３】
2019136280.tif 000005
【図４】
2019136280.tif 000006
【図５】
2019136280.tif 000007
【図６】
2019136280.tif 000008
【図７】
2019136280.tif 000009
【図８】
2019136280.tif 000010
【図９】
2019136280.tif 000011
【図１０】
2019136280.tif 000012
【図１１】
2019136280.tif 000013
【図１２】
2019136280.tif 000014
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が嵌入して固定され、固定部材は保持部の基端側内壁に当接して固定され、
前記棒状芯材は、棒状芯材後端部の固定孔への嵌入と、保持部先端側に設けられた係止壁と棒状芯材に設けられた係止壁との係止により抜出不可とされ、
前記棒状芯材には、あらかじめ液状塗布材が染み込ませて、該棒状芯材は、染み込ませた液状塗布材がなくなるまでの使用とされた、
ことを特徴とする塗布具。
【請求項２】
前記尾栓には、前記ボディの後端部端面に係止する係止片が設けられた、
ことを特徴とする請求項１記載の塗布具。
【請求項３】
前記尾栓には、該尾栓の軸心方向後端面に開口を有して軸心方向に延びる伸縮用空洞部が設けられた、
ことを特徴とする請求項１または請求項２記載の塗布具。
【請求項４】
前記棒状芯材とボディとの間には外部とボディ内とを連通する空気流通溝が設けられた、
ことを特徴とする請求項１、請求項２または請求項３記載の塗布具。
【請求項５】
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材はノーズピース部材を介して前記保持部に固定され、
棒状芯材の外周面と前記ノーズピース部材の内周面には、各々係止段部が形成されて、両者が嵌り合い、棒状芯材の保持部からの抜出を不可とし、
ノーズピース部材は、該ノーズピース部材の後端部が、該後端部と対向する尾栓の押さえ部材に当接して取り付けられ、ノーズピース部材の後方側ではノーズピース部材の内周突壁が保持部の突壁に密接して、ノーズピース部材及び棒状芯材は、尾栓側に向かって抜けない構成とされ、
前記棒状芯材には、あらかじめ液状塗布材が染み込ませて、該棒状芯材は、染み込ませた液状塗布材がなくなるまでの使用とされた、
ことを特徴とする塗布具。
【手続補正２】
【補正対象書類名】明細書
【補正対象項目名】全文
【補正方法】変更
【補正の内容】
【発明の詳細な説明】
【技術分野】
【０００１】
本発明は、例えばアイライナーやアイブローのような化粧用具、あるいは頭髪や眉毛などの部分白髪染め具など、液状塗布材を棒状塗布部である芯材に浸潤させ、これを先端部より所定箇所に塗布あるいは描画して使用する塗布具に係り、特に一週間など短期間のみ使用する場合に対応出来るように創案された塗布具に関するものである。
【背景技術】
【０００２】
従来、アイライナーなど内部に液状塗布材を貯留し、この液状塗布材を繊維部材などからなる棒状塗布部材に吸収、浸潤させ、該塗布部材の先端塗布部によって所定箇所に塗布あるいは描画する塗布具は一般に知られている。
【０００３】
しかしながら、これら塗布具は、数ヶ月間の使用に対応すべく製造されており、例えば、ハロウィンや仮装の必要がある場合になど特殊なメークを行う場合など、前記の様な数ヶ月間の使用に対応して製造、販売された塗布具であると、２乃至３回ほど使用した後には使用機会がなく、そのまま使用期限が途過してしまい、最終的にほとんど液状塗布材が残存しているにもかかわらず廃棄してしまうとの課題があった。
【先行技術文献】
【特許文献】
【０００４】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００５】
かくして、本発明による塗布具は、前記従来の課題を解決するために創案されたものであって、外形のサイズを出来る限りコンパクトにしうると共に、使用時には使いやすい長さにセット出来、さらには一週間程度の短期間の使用に対応させて使用部品を削減し、もって製造コストを安価にした塗布具を提供することを目的とするものである。
【課題を解決するための手段】
【０００６】
本発明による塗布具は、
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が嵌入して固定され、固定部材は保持部の基端側内壁に当接して固定され、
前記棒状芯材は、棒状芯材後端部の固定孔への嵌入と、保持部先端側に設けられた係止壁と棒状芯材に設けられた係止壁との係止により抜出不可とされ、
前記棒状芯材には、あらかじめ液状塗布材が染み込ませて、該棒状芯材は、染み込ませた液状塗布材がなくなるまでの使用とされた、
ことを特徴とし、
または、
前記尾栓には、前記ボディの後端部端面に係止する係止片が設けられた、
ことを特徴とし、
または、
前記尾栓には、該尾栓の軸心方向後端面に開口を有して軸心方向に延びる伸縮用空洞部が設けられた、
ことを特徴とし、
または、
前記棒状芯材とボディとの間には外部とボディ内とを連通する空気流通溝が設けられた、
ことを特徴とし、
または、
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材はノーズピース部材を介して前記保持部に固定され、
棒状芯材の外周面と前記ノーズピース部材の内周面には、各々係止段部が形成されて、両者が嵌り合い、棒状芯材の保持部からの抜出を不可とし、
ノーズピース部材は、該ノーズピース部材の後端部が、該後端部と対向する尾栓の押さえ部材に当接して取り付けられ、ノーズピース部材の後方側ではノーズピース部材の内周突壁が保持部の突壁に密接して、ノーズピース部材及び棒状芯材は、尾栓側に向かって抜けない構成とされ、
前記棒状芯材には、あらかじめ液状塗布材が染み込ませて、該棒状芯材は、染み込ませた液状塗布材がなくなるまでの使用とされた、
ことを特徴とするものである。
【発明の効果】
【０００７】
本発明による塗布具であれば、形のサイズを出来る限りコンパクトにしうると共に、使用時には使いやすい長さにセット出来、さらには一週間程度の短期間の使用に対応させて使用部品を削減し、もって製造コストを安価にした塗布具を提供できるとの優れた効果を奏する。
【図面の簡単な説明】
【０００８】
【図１】本発明の第一実施例による塗布具の構成を説明する説明図（１）である。
【図２】本発明の第一実施例による塗布具の構成を説明する説明図（２）である。
【図３】本発明の第二実施例による塗布具の構成を説明する説明図（１）である。
【図４】本発明の第二実施例による塗布具の構成を説明する説明図（２）である。
【図５】本発明の第三実施例による塗布具の構成を説明する説明図（１）である。
【図６】本発明の第三実施例による塗布具の構成を説明する説明図（２）である。
【図７】本発明の第四実施例による塗布具の構成を説明する説明図（１）である。
【図８】本発明の第四実施例による塗布具の構成を説明する説明図（２）である。
【図９】図２、図４のＡ−Ａ線断面図である。
【図１０】空気流通溝の他の実施例を示す断面図（１）である。
【図１１】図６、図８のＡ−Ａ線断面図である。
【図１２】空気流通溝の他の実施例を示す断面図（２）である。
【発明を実施するための形態】
【０００９】
以下、図に基づいて本発明の第一実施例による塗布具１の構成を説明する。
本発明による塗布具１は、略円筒状をなすボディ２を有している。そして、このボディ２の先端部には、棒状芯材３を保持する保持部４がボディ２と一体形成されている。
【００１０】
ここで、図１に示すタイプの棒状芯材３は、ナイロンなど合成樹脂材を棒状ペンタイプの描画部材として構成しており、この棒状芯材３には、あらかじめ液状塗布材が染み込ませてある。よって、この染み込ませた液状塗布材がなくなるまで使用できるものとなる。
【００１１】
このペンタイプの棒状芯材３であれば、ラインがぶれずに描きやすく、濃く発色させることもできる。また、比較的棒状芯材３の先端部につき、こしが強く形成でき、いわゆる使用の初心者であっても比較的、描きやすいという特徴がある。
【００１２】
尚、この棒状芯材３の長さが異なるものを、それぞれ用意し、それらを取り替えて取り付ければ、長さの異なる棒状芯材３の変更のみで、使用期間を短いものから長いものまで変更できる塗布具が数種類提供できることにもなる。
【００１３】
前記保持部４には、その軸心方向に棒状芯材３が嵌挿する貫通保持孔５が設けられている。そして、保持部４は、取り付けられる棒状芯材３の先端側に向かってやや先細り状になるようその外形が形成されており、また、保持部４の径方向外周面は、内部に円状空間を有する円筒状をなすキャップ部材６におけるキャップ口７の内部空間内周面が密着して嵌り込む略円柱状の形状として構成されている。
【００１４】
そして、前記保持部４の外周面を例えば軸心方向に向かって若干波状をなす凹凸面として形成し、前記キャップ部材６のキャップ口７の内部空間内周面も前記保持部４の外周面に形成された凹凸面に嵌合する波状の凹凸面に形成すれば、キャップ部材６を保持部４に嵌め込んだとき、前記双方の凹凸面が嵌合して、キャップ部材６が容易に抜けない構成にすることが出来る。
【００１５】
また、前記キャップ部材６の内部の空間を出来るだけ狭くし、気密性を担保して、前記棒状芯材３に染みこんだ液状塗布材が乾かないように構成すべく、キャップ部材６を前記保持部４の場合と同様に先端側に向かって先細りとなる形状にしておくことが好ましい。
【００１６】
尚、前記キャップ部材６を保持部４に嵌め込むことにより、保持部４に設けられた貫通保持孔５には、その外周面側から軸心方向中心部に向かって、すなわち、保持部４の径方向に向かって前記嵌合による締め付け押圧力が加わり、該貫通保持孔５を貫通する棒状芯材３を締め付けて保持することにもなる。これによって棒状芯材３は保持部４から簡単に引き抜けない。
【００１７】
さらに、保持部４と棒状芯材３の後端部との間には固定部材１６が介在しており、該固定部材１６の固定孔１９に棒状芯材３の後端部が嵌入して、棒状芯材３の後端部が該固定部材１６を介して保持部４に固定されるものとなっている。
しかも前記固定部材１６はボディ２の内部空間に嵌入しており、ボディ２内から容易に抜けない。
【００１８】
よって、棒状芯材３は、保持部４の先端側に設けられた係止壁１７に棒状芯材３の係止壁１８が係止すると共に、棒状芯材３の後端部が前記固定部材１６に固定され、もって、一層、保持部４から棒状芯材３が抜けないように構成されている。
【００１９】
尚、固定孔１９の底部には空間部２３が形成され、該空間部２３は、棒状芯材３に染み込んだ液状塗布材が容易にペン先側にはき出るよう空気流通機構を果たす空間となっている。さらに、たとえ、棒状芯材３が若干長さ方向に膨張したとしても固定部材１６が保持部４から外れないよう、前記棒状芯材３の長さを吸収する吸収空間の役目も果たしている。
【００２０】
符号８は尾栓であり、該尾栓８は、ボディ２の後端部開口からボディ２の内部空間に嵌め込まれて取り付けられる。
【００２１】
尾栓８の外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８のボディ２への挿入しすぎを防止する構成になっている。
【００２２】
符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は、ボディ２の径方向に伸縮し、弾発力をもって、ボディ２の後端開口へ嵌まり、容易に抜出することがない。尚、本実施例ではこの伸縮用空洞部１１の開口は塗布具１の先端側になっているが、逆に塗布具１の後端側に開口が向くよう構成しても構わない。
【００２３】
また、尾栓８の係止片１０が設けられた箇所から後方の部分は、キャップ部材６の装着部１２として構成される。塗布具１の使用時には、この装着部１２にキャップ部材６を嵌め込み、塗布具１が使用しやすい長さとなるよう工夫されているのである。
【００２４】
図９は図２または図４のＡ−Ａ線断面図である。図９に示すように、棒状芯材３は保持部４を軸心方向に嵌挿してボディ２に取り付けられている。そして、棒状芯材３と保持部４との当接面部には空気流通溝２２となる空間が設けられており、該空気流通溝２２により、外部とボディ２の内部とを連通させて棒状芯材３に染み込んだ液状塗布材の流れをスムーズにし、ペン先でのかすれや液不足が起きないように構成されている。
【００２５】
ここで、この空気流通溝２２については、保持部４側に設けられているが、それに限定されない。棒状芯材３側に形成してもかまわない。また、この実施例では、空気流通溝２２はリング状に４カ所設けられているが、設けられる箇所や個数についても何ら限定されるものではない。また、空気流通溝２２は、図１０に示す様な形状の溝でも構わない。
【００２６】
図２に示すように、本発明による塗布具１の使用時には、キャップ部材６をボディ２の保持部４から外す。そして、外したキャップ部材６を尾栓８の装着部１２の嵌め込むのである。これにより本発明の塗布具１はきわめて使用しやすい長さを確保することが出来る。すなわち、未使用時には短くコンパクトな形状の塗布具１として提供できるため、女性用の比較的小さなバッグ内に収納できるものとなっている。そして、使用時には長くすることが出来て非常に操作しやすいものとなっている。
【００２７】
尚、前述した伸縮用空洞部１１であるが、尾栓８の後端側から塗布部１の先端側に向かって、伸縮用空洞部１１における内径の大きさが徐々に大きくなるよう形成することも考えられる。このような構成であれば、より尾栓８のボディ２への取り付け強度を高めることが出来る。さらに、ボディ２の内周面と尾栓８の外周面に各々嵌り合う凸部２０と凹部２１を形成しておくことが好ましい。また、図に示すように、伸縮用空洞部１１を構成する尾栓８の外周壁の肉厚を係止片１０の形成箇所から開口側に向かって厚くしておくことにより、さらに尾栓８のボディ２に対する取付強度を向上させることが出来る。
【００２８】
次に、図３及び図４に本発明の第二実施例を示す。第二実施例では、棒状心材３として、いわゆる毛筆の筆先と同じように例えば、細い線状をなす合成繊維を束ねてブラシ状にし、このブラシ状に束ねたものを棒状芯材３として使用したものである。この様なブラシ状の棒状芯材３は、染みこませる液状塗布材の量を第一実施例のペンタイプより多く筆先内部に貯留できる。よってブラシ状の棒状芯材３の長さを短くしても、液切れしないため長期間の使用が出来る。
【００２９】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【００３０】
次に、本発明の第三実施例による塗布具１の構成を説明する。
本実施例の塗布具１についても、略円筒状をなすボディ２を有している。そして、このボディ２の先端部には、後述する棒状芯材３を保持する保持部４がボディ２と一体形成されている。
【００３１】
ここで、図５に示すタイプの棒状芯材３は、ナイロンなど合成樹脂材をペンタイプの描画部材として構成されており、この棒状芯材３には、あらかじめ液状塗布材が染み込ませてある。よって、この染み込ませた液状塗布材がなくなるまで使用できるものとなる。このペンタイプには、ラインがぶれずに描きやすいペンタイプ、濃く発色させられるペンタイプなどがあり、比較的こしがかたく初心者でも描きやすいことすでに述べたとおりである。
【００３２】
前記保持部４には、その軸心方向に棒状芯材３が嵌挿する貫通保持孔５が設けられている。そして、保持部４は、取り付けられる棒状芯材３の先端側に向かってやや先細り状になるよう形成されており、また、保持部４の外周面は、内部に円状空間を有する円筒状をなすキャップ部材６におけるキャップ口７の内部空間内周面が密着して嵌り込む略円柱状の形状として構成されている。
【００３３】
そして、前記保持部４の外周面は若干波状の凹凸面として形成し、前記キャップ部材６のキャップ口７の内部空間内周面も前記保持部４の外周面に形成された波状の凹凸面に嵌合する凹凸面に形成すれば、キャップ部材６を保持部４に嵌め込んだとき、前記双方の凹凸面が嵌合して、キャップ部材６が容易に抜けない構成にすることが出来る。
【００３４】
そして、前記キャップ部材６の内部において出来るだけ空間を狭くし、気密性が担保できる構成にすべく、キャップ部材６も先端側に向かって先細りとなる形状にしておくことが好ましい。
【００３５】
尚、前記キャップ部材６を保持部４に嵌め込むことにより、保持部４に設けられた貫通保持孔５には、その外周面側から軸心方向中心部に向かって、すなわち、保持部４の径方向に向かって前記嵌合による締め付け押圧力が加わり、該貫通保持孔５を貫通する棒状芯材３を締め付けて保持することにもなる。これによって棒状芯材３は保持部４から簡単に引き抜けない。
【００３６】
さらに、保持部４と棒状芯材３との間にはノーズピース部材１３が介在しており、棒状芯材３の外周面と前記ノーズピース部材１３の内周面には、各々係止段部１４、１５が形成されて、両者が嵌り合い、容易に棒状芯材３が抜けないように構成されている。
【００３７】
また、ノーズピース部材１３の後端部は、該ノーズピース部材１３の後端部と対向する尾栓８の押さえ部材９に当接して取り付けられる構成となっている。
よって、ノーズピース部材１３及び棒状芯材３は、特に尾栓８側に向かって容易に抜けない構成になっており、塗布具使用時において、棒状芯材３が不意に保持部４の内側に引っ込むような不具合が起こらないよう工夫されている。
【００３８】
図から理解されるように、ノーズピース部材１３は、後方側でノーズピース部材１３の内周突壁２４が保持部４の突壁２５に密接しており、前記押さえ部材９の押圧と共に、強固にノーズピース部材１３を保持部４に保持している。
【００３９】
次に、尾栓８はボディ２の後端部開口からボディ２の内部空間に嵌め込まれて取り付けられる。
【００４０】
尾栓８の後方側外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８の挿入しすぎを防止する構成になっている。
【００４１】
次に、符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は径方向に伸縮し、弾性力をもって、ボディ２の後端開口へ嵌まり、容易に抜出することがない。
【００４２】
尚、尾栓８の係止片１０が設けられた箇所から後方の部分は、キャップ部材６の装着部１２として構成される。この装着部１２にキャップ部材６を嵌め込み、塗布具１の使用時に使用しやすい長さとなるよう工夫されている。
【００４３】
図１１は図６または図８のＡ−Ａ線断面図である。図１１に示すように、棒状芯材３はノーズピース部材１３を軸心方向に嵌挿してボディ２に取り付けられている。そして、棒状芯材３とノーズピース部材１３との当接面部には空気流通溝２２が設けられており、該空気流通溝２２により、外部とボディ２の内部とを連通させて棒状芯材３に染み込んだ液状塗布材の流れをスムーズにし、ペン先でのかすれや液不足が起きないように構成されている。この空気流通溝２２については、ノーズピース部材１３側に設けられているが、それに限定されない。棒状芯材３側に形成してもかまわない。また、この実施例では、空気流通溝２２は４カ所に設けられているが、設けられる箇所や個数についても何ら限定されない。図１２に示すような空気流通溝２２であっても構わない。
【００４４】
本実施例による塗布具１の使用時には、キャップ部材６をボディ２の保持部４から外す。そして、そして外したキャップ部材６を尾栓８の装着部１２の嵌め込むのである（図６参照）。これにより本実施例の塗布具１はきわめて使用しやすい長さを確保することが出来る。すなわち、未使用時には短くコンパクトな形状の塗布具として提供でき、使用時には長くすることが出来て使用しやすいものとなっているのである。
【００４５】
尚、前述した伸縮用空洞部１１であるが、尾栓８の先端側から装着部１２が構成された後端側に向かって、伸縮用空洞部１１における内径の大きさが徐々に大きくなるよう形成することも考えられる。このような構成であれば、より尾栓８のボディ２への取り付け強度を高めることが出来る。
【００４６】
次に、図７及び図８に本発明の第四実施例を示す。第四実施例では、棒状心材３として、いわゆる毛筆の筆先と同じように例えば、細い線状の合成繊維を束ねてブラシ状にし、このブラシ状に束ねたものを棒状芯材３として使用したものである。この様なブラシ状の棒状芯材３は、染みこませた液状塗布材を第一実施例のペンタイプより多く筆先内部に貯留できる。よってブラシ状の棒状芯材３の長さを短くしても、液切れしないため長期間の使用が出来る。
【００４７】
尚、本実施例のブラシタイプでは、筆先を毛筆の筆先のように細くすることが出来るため、もって細いラインを確実に引くことが出来る。また太いラインを引きたい場合には、筆先を描画箇所側に押し付けて描画すれば、太いラインであっても確実に引くことができる。この様に、ブラシの毛にハリがあるため、細いラインから太いラインまで、自在に引くことが出来るとの特徴を有している。
【符号の説明】
【００４８】
１      塗布具
２      ボディ
３      棒状芯材
４      保持部
５      貫通保持孔
６      キャップ部材
７      キャップ口
８      尾栓
９      押さえ部材
１０    係止片
１１    伸縮用空洞部
１２    装着部
１３    ノーズピース部材
１４    係止凹部
１５    係止凸部
１６    固定部材
１７    係止壁
１８    係止壁
１９    固定孔
２０    凸部
２１    凹部
２２    空気流通溝
２３    空間部
２４    内周突壁
２５    突壁
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が、前記固定孔の底部に空間部を有して嵌入されて固定され、固定部材は保持部の基端側内壁に当接して固定され、
前記棒状芯材は、棒状芯材後端部の固定孔への嵌入と、保持部先端側に設けられた係止壁と、前記係止壁に係止する棒状芯材に設けられた係止壁とにより抜出不可とされ、
前記棒状芯材には、あらかじめ液状塗布材が染み込ませて、該棒状芯材は、染み込ませた液状塗布材がなくなるまでの使用とされてなり、
前記固定孔の底部に形成された空間部は、前記棒状芯材に染み込んだ液状塗布材がペン先側にはき出るよう空気流通機構を果たす空間とされ、かつ棒状芯材が長さ方向に膨張したとしても固定部材が保持部から外れないよう、棒状芯材の膨張した長さを吸収する吸収空間の役目も果たしてなる、
ことを特徴とする塗布具。
【請求項２】
前記尾栓には、前記ボディの後端部端面に係止する係止片が設けられた、
ことを特徴とする請求項１記載の塗布具。
【請求項３】
前記尾栓には、該尾栓の軸心方向後端面に開口を有して軸心方向に延びる伸縮用空洞部が設けられた、
ことを特徴とする請求項１または請求項２記載の塗布具。
【請求項４】
前記棒状芯材とボディとの間には外部とボディ内とを連通する空気流通溝が設けられた、
ことを特徴とする請求項１、請求項２または請求項３記載の塗布具。
【請求項５】
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材はノーズピース部材を嵌挿し、該ノーズピース部材を介して前記保持部に固定され、
棒状芯材の外周面に設けられた係止段部に前記ノーズピース部材の先端部内周面に設けられた係止段部が嵌り合い、棒状芯材の保持部からの抜出を不可とし、
ノーズピース部材は、該ノーズピース部材の後端部が、該後端部と対向する尾栓の押さえ部材に当接して取り付けられると共に、ノーズピース部材の後方側ではノーズピース部材の外周突壁が保持部の内周段差壁に密接して、ノーズピース部材及び棒状芯材は、尾栓側に向かって抜けない構成とされ、
前記ノーズピース部材と押さえ部材の当接する箇所の内側部分は、棒状芯材に染み込んだ液状塗布材がペン先側にはき出るよう空気流通機構を果たす空間とされ、かつ棒状芯材が長さ方向に膨張したとしても該棒状芯材の膨張した長さを吸収する吸収空間の役目も果たす空間部が設けられ、
前記棒状芯材には、あらかじめ液状塗布材が染み込ませて、該棒状芯材は、染み込ませた液状塗布材がなくなるまでの使用とされた、
ことを特徴とする塗布具。
【手続補正２】
【補正対象書類名】明細書
【補正対象項目名】全文
【補正方法】変更
【補正の内容】
【発明の詳細な説明】
【技術分野】
【０００１】
本発明は、例えばアイライナーやアイブローのような化粧用具、あるいは頭髪や眉毛などの部分白髪染め具など、液状塗布材を棒状塗布部である芯材に浸潤させ、これを先端部より所定箇所に塗布あるいは描画して使用する塗布具に係り、特に一週間など短期間のみ使用する場合に対応出来るように創案された塗布具に関するものである。
【背景技術】
【０００２】
従来、アイライナーなど内部に液状塗布材を貯留し、この液状塗布材を繊維部材などからなる棒状塗布部材に吸収、浸潤させ、該塗布部材の先端塗布部によって所定箇所に塗布あるいは描画する塗布具は一般に知られている。
【０００３】
しかしながら、これら塗布具は、数ヶ月間の使用に対応すべく製造されており、例えば、ハロウィンや仮装の必要がある場合になど特殊なメークを行う場合など、前記の様な数ヶ月間の使用に対応して製造、販売された塗布具であると、２乃至３回ほど使用した後には使用機会がなく、そのまま使用期限が途過してしまい、最終的にほとんど液状塗布材が残存しているにもかかわらず廃棄してしまうとの課題があった。
【先行技術文献】
【特許文献】
【０００４】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００５】
かくして、本発明による塗布具は、前記従来の課題を解決するために創案されたものであって、外形のサイズを出来る限りコンパクトにしうると共に、使用時には使いやすい長さにセット出来、さらには一週間程度の短期間の使用に対応させて使用部品を削減し、もって製造コストを安価にした塗布具を提供することを目的とするものである。
【課題を解決するための手段】
【０００６】
本発明による塗布具は、
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が、前記固定孔の底部に空間部を有して嵌入されて固定され、固定部材は保持部の基端側内壁に当接して固定され、
前記棒状芯材は、棒状芯材後端部の固定孔への嵌入と、保持部先端側に設けられた係止壁と、前記係止壁に係止する棒状芯材に設けられた係止壁とにより抜出不可とされ、
前記棒状芯材には、あらかじめ液状塗布材が染み込ませて、該棒状芯材は、染み込ませた液状塗布材がなくなるまでの使用とされてなり、
前記固定孔の底部に形成された空間部は、前記棒状芯材に染み込んだ液状塗布材がペン先側にはき出るよう空気流通機構を果たす空間とされ、かつ棒状芯材が長さ方向に膨張したとしても固定部材が保持部から外れないよう、棒状芯材の膨張した長さを吸収する吸収空間の役目も果たしてなる、
ことを特徴とし、
または、
前記尾栓には、前記ボディの後端部端面に係止する係止片が設けられた、
ことを特徴とし、
または、
前記尾栓には、該尾栓の軸心方向後端面に開口を有して軸心方向に延びる伸縮用空洞部が設けられた、
ことを特徴とし、
または、
前記棒状芯材とボディとの間には外部とボディ内とを連通する空気流通溝が設けられた、
ことを特徴とし、
または、
略円筒状をなし、先端部には棒状芯材を保持する保持部を有するボディと、前記保持部の外周面に嵌り込んでキャップするキャップ部材と、前記ボディの後端部に嵌入して取り付けられる尾栓と、前記尾栓の後端には、前記キャップが嵌り込むキャップ装着部が設けられてなり、
前記保持部は、ボディの先端側に向かい先細り状の略円筒状に形成され、前記棒状芯材はノーズピース部材を嵌挿し、該ノーズピース部材を介して前記保持部に固定され、
棒状芯材の外周面に設けられた係止段部に前記ノーズピース部材の先端部内周面に設けられた係止段部が嵌り合い、棒状芯材の保持部からの抜出を不可とし、
ノーズピース部材は、該ノーズピース部材の後端部が、該後端部と対向する尾栓の押さえ部材に当接して取り付けられると共に、ノーズピース部材の後方側ではノーズピース部材の外周突壁が保持部の内周段差壁に密接して、ノーズピース部材及び棒状芯材は、尾栓側に向かって抜けない構成とされ、
前記ノーズピース部材と押さえ部材の当接する箇所の内側部分は、棒状芯材に染み込んだ液状塗布材がペン先側にはき出るよう空気流通機構を果たす空間とされ、かつ棒状芯材が長さ方向に膨張したとしても該棒状芯材の膨張した長さを吸収する吸収空間の役目も果たす空間部が設けられ、
前記棒状芯材には、あらかじめ液状塗布材が染み込ませて、該棒状芯材は、染み込ませた液状塗布材がなくなるまでの使用とされた、
ことを特徴とするものである。
【発明の効果】
【０００７】
本発明による塗布具であれば、形のサイズを出来る限りコンパクトにしうると共に、使用時には使いやすい長さにセット出来、さらには一週間程度の短期間の使用に対応させて使用部品を削減し、もって製造コストを安価にした塗布具を提供できるとの優れた効果を奏する。
【図面の簡単な説明】
【０００８】
【図１】本発明の第一実施例による塗布具の構成を説明する説明図（１）である。
【図２】本発明の第一実施例による塗布具の構成を説明する説明図（２）である。
【図３】本発明の第二実施例による塗布具の構成を説明する説明図（１）である。
【図４】本発明の第二実施例による塗布具の構成を説明する説明図（２）である。
【図５】本発明の第三実施例による塗布具の構成を説明する説明図（１）である。
【図６】本発明の第三実施例による塗布具の構成を説明する説明図（２）である。
【図７】本発明の第四実施例による塗布具の構成を説明する説明図（１）である。
【図８】本発明の第四実施例による塗布具の構成を説明する説明図（２）である。
【図９】図２、図４のＡ−Ａ線断面図である。
【図１０】空気流通溝の他の実施例を示す断面図（１）である。
【図１１】図６、図８のＡ−Ａ線断面図である。
【図１２】空気流通溝の他の実施例を示す断面図（２）である。
【発明を実施するための形態】
【０００９】
以下、図に基づいて本発明の第一実施例による塗布具１の構成を説明する。
本発明による塗布具１は、略円筒状をなすボディ２を有している。そして、このボディ２の先端部には、棒状芯材３を保持する保持部４がボディ２と一体形成されている。
【００１０】
ここで、図１に示すタイプの棒状芯材３は、ナイロンなど合成樹脂材を棒状ペンタイプの描画部材として構成しており、この棒状芯材３には、あらかじめ液状塗布材が染み込ませてある。よって、この染み込ませた液状塗布材がなくなるまで使用できるものとなる。
【００１１】
このペンタイプの棒状芯材３であれば、ラインがぶれずに描きやすく、濃く発色させることもできる。また、比較的棒状芯材３の先端部につき、こしが強く形成でき、いわゆる使用の初心者であっても比較的、描きやすいという特徴がある。
【００１２】
尚、この棒状芯材３の長さが異なるものを、それぞれ用意し、それらを取り替えて取り付ければ、長さの異なる棒状芯材３の変更のみで、使用期間を短いものから長いものまで変更できる塗布具が数種類提供できることにもなる。
【００１３】
前記保持部４には、その軸心方向に棒状芯材３が嵌挿する貫通保持孔５が設けられている。そして、保持部４は、取り付けられる棒状芯材３の先端側に向かってやや先細り状になるようその外形が形成されており、また、保持部４の径方向外周面は、内部に円状空間を有する円筒状をなすキャップ部材６におけるキャップ口７の内部空間内周面が密着して嵌り込む略円柱状の形状として構成されている。
【００１４】
そして、前記保持部４の外周面を例えば軸心方向に向かって若干波状をなす凹凸面として形成し、前記キャップ部材６のキャップ口７の内部空間内周面も前記保持部４の外周面に形成された凹凸面に嵌合する波状の凹凸面に形成すれば、キャップ部材６を保持部４に嵌め込んだとき、前記双方の凹凸面が嵌合して、キャップ部材６が容易に抜けない構成にすることが出来る。
【００１５】
また、前記キャップ部材６の内部の空間を出来るだけ狭くし、気密性を担保して、前記棒状芯材３に染みこんだ液状塗布材が乾かないように構成すべく、キャップ部材６を前記保持部４の場合と同様に先端側に向かって先細りとなる形状にしておくことが好ましい。
【００１６】
尚、前記キャップ部材６を保持部４に嵌め込むことにより、保持部４に設けられた貫通保持孔５には、その外周面側から軸心方向中心部に向かって、すなわち、保持部４の径方向に向かって前記嵌合による締め付け押圧力が加わり、該貫通保持孔５を貫通する棒状芯材３を締め付けて保持することにもなる。これによって棒状芯材３は保持部４から簡単に引き抜けない。
【００１７】
さらに、保持部４と棒状芯材３の後端部との間には固定部材１６が介在しており、該固定部材１６の固定孔１９に棒状芯材３の後端部が嵌入して、棒状芯材３の後端部が該固定部材１６を介して保持部４に固定されるものとなっている。
しかも前記固定部材１６はボディ２の内部空間に嵌入しており、ボディ２内から容易に抜けない。
【００１８】
よって、棒状芯材３は、保持部４の先端側に設けられた係止壁１７に棒状芯材３の係止壁１８が係止すると共に、棒状芯材３の後端部が前記固定部材１６に固定され、もって、一層、保持部４から棒状芯材３が抜けないように構成されている。
【００１９】
尚、固定孔１９の底部には空間部２３が形成され、該空間部２３は、棒状芯材３に染み込んだ液状塗布材が容易にペン先側にはき出るよう空気流通機構を果たす空間となっている。さらに、たとえ、棒状芯材３が若干長さ方向に膨張したとしても固定部材１６が保持部４から外れないよう、前記棒状芯材３の長さを吸収する吸収空間の役目も果たしている。
【００２０】
符号８は尾栓であり、該尾栓８は、ボディ２の後端部開口からボディ２の内部空間に嵌め込まれて取り付けられる。
【００２１】
尾栓８の外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８のボディ２への挿入しすぎを防止する構成になっている。
【００２２】
符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は、ボディ２の径方向に伸縮し、弾発力をもって、ボディ２の後端開口へ嵌まり、容易に抜出することがない。尚、本実施例ではこの伸縮用空洞部１１の開口は塗布具１の先端側になっているが、逆に塗布具１の後端側に開口が向くよう構成しても構わない。
【００２３】
また、尾栓８の係止片１０が設けられた箇所から後方の部分は、キャップ部材６の装着部１２として構成される。塗布具１の使用時には、この装着部１２にキャップ部材６を嵌め込み、塗布具１が使用しやすい長さとなるよう工夫されているのである。
【００２４】
図９は図２または図４のＡ−Ａ線断面図である。図９に示すように、棒状芯材３は保持部４を軸心方向に嵌挿してボディ２に取り付けられている。そして、棒状芯材３と保持部４との当接面部には空気流通溝２２となる空間が設けられており、該空気流通溝２２により、外部とボディ２の内部とを連通させて棒状芯材３に染み込んだ液状塗布材の流れをスムーズにし、ペン先でのかすれや液不足が起きないように構成されている。
【００２５】
ここで、この空気流通溝２２については、保持部４側に設けられているが、それに限定されない。棒状芯材３側に形成してもかまわない。また、この実施例では、空気流通溝２２はリング状に４カ所設けられているが、設けられる箇所や個数についても何ら限定されるものではない。また、空気流通溝２２は、図１０に示す様な形状の溝でも構わない。
【００２６】
図２に示すように、本発明による塗布具１の使用時には、キャップ部材６をボディ２の保持部４から外す。そして、外したキャップ部材６を尾栓８の装着部１２の嵌め込むのである。これにより本発明の塗布具１はきわめて使用しやすい長さを確保することが出来る。すなわち、未使用時には短くコンパクトな形状の塗布具１として提供できるため、女性用の比較的小さなバッグ内に収納できるものとなっている。そして、使用時には長くすることが出来て非常に操作しやすいものとなっている。
【００２７】
尚、前述した伸縮用空洞部１１であるが、尾栓８の後端側から塗布部１の先端側に向かって、伸縮用空洞部１１における内径の大きさが徐々に大きくなるよう形成することも考えられる。このような構成であれば、より尾栓８のボディ２への取り付け強度を高めることが出来る。さらに、ボディ２の内周面と尾栓８の外周面に各々嵌り合う凸部２０と凹部２１を形成しておくことが好ましい。また、図に示すように、伸縮用空洞部１１を構成する尾栓８の外周壁の肉厚を係止片１０の形成箇所から開口側に向かって厚くしておくことにより、さらに尾栓８のボディ２に対する取付強度を向上させることが出来る。
【００２８】
次に、図３及び図４に本発明の第二実施例を示す。第二実施例では、棒状心材３として、いわゆる毛筆の筆先と同じように例えば、細い線状をなす合成繊維を束ねてブラシ状にし、このブラシ状に束ねたものを棒状芯材３として使用したものである。この様なブラシ状の棒状芯材３は、染みこませる液状塗布材の量を第一実施例のペンタイプより多く筆先内部に貯留できる。よってブラシ状の棒状芯材３の長さを短くしても、液切れしないため長期間の使用が出来る。
【００２９】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【００３０】
次に、本発明の第三実施例による塗布具１の構成を説明する。
本実施例の塗布具１についても、略円筒状をなすボディ２を有している。そして、このボディ２の先端部には、後述する棒状芯材３を保持する保持部４がボディ２と一体形成されている。
【００３１】
ここで、図５に示すタイプの棒状芯材３は、ナイロンなど合成樹脂材をペンタイプの描画部材として構成されており、この棒状芯材３には、あらかじめ液状塗布材が染み込ませてある。よって、この染み込ませた液状塗布材がなくなるまで使用できるものとなる。このペンタイプには、ラインがぶれずに描きやすいペンタイプ、濃く発色させられるペンタイプなどがあり、比較的こしがかたく初心者でも描きやすいことすでに述べたとおりである。
【００３２】
前記保持部４には、その軸心方向に棒状芯材３が嵌挿する貫通保持孔５が設けられている。そして、保持部４は、取り付けられる棒状芯材３の先端側に向かってやや先細り状になるよう形成されており、また、保持部４の外周面は、内部に円状空間を有する円筒状をなすキャップ部材６におけるキャップ口７の内部空間内周面が密着して嵌り込む略円柱状の形状として構成されている。
【００３３】
そして、前記保持部４の外周面は若干波状の凹凸面として形成し、前記キャップ部材６のキャップ口７の内部空間内周面も前記保持部４の外周面に形成された波状の凹凸面に嵌合する凹凸面に形成すれば、キャップ部材６を保持部４に嵌め込んだとき、前記双方の凹凸面が嵌合して、キャップ部材６が容易に抜けない構成にすることが出来る。
【００３４】
そして、前記キャップ部材６の内部において出来るだけ空間を狭くし、気密性が担保できる構成にすべく、キャップ部材６も先端側に向かって先細りとなる形状にしておくことが好ましい。
【００３５】
尚、前記キャップ部材６を保持部４に嵌め込むことにより、保持部４に設けられた貫通保持孔５には、その外周面側から軸心方向中心部に向かって、すなわち、保持部４の径方向に向かって前記嵌合による締め付け押圧力が加わり、該貫通保持孔５を貫通する棒状芯材３を締め付けて保持することにもなる。これによって棒状芯材３は保持部４から簡単に引き抜けない。
【００３６】
さらに、保持部４と棒状芯材３との間にはノーズピース部材１３が介在しており、棒状芯材３の外周面と前記ノーズピース部材１３の内周面には、各々係止段部１４、１５が形成されて、両者が嵌り合い、容易に棒状芯材３が抜けないように構成されている。
【００３７】
また、ノーズピース部材１３の後端部は、該ノーズピース部材１３の後端部と対向する尾栓８の押さえ部材９に当接して取り付けられる構成となっている。
よって、ノーズピース部材１３及び棒状芯材３は、特に尾栓８側に向かって容易に抜けない構成になっており、塗布具使用時において、棒状芯材３が不意に保持部４の内側に引っ込むような不具合が起こらないよう工夫されている。
【００３８】
図から理解されるように、ノーズピース部材１３は、後方側でノーズピース部材１３の外周突壁２４が保持部４の突壁２５に密接しており、前記押さえ部材９の押圧と共に、強固にノーズピース部材１３を保持部４に保持している。
【００３９】
次に、尾栓８はボディ２の後端部開口からボディ２の内部空間に嵌め込まれて取り付けられる。
【００４０】
尾栓８の後方側外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８の挿入しすぎを防止する構成になっている。
【００４１】
次に、符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は径方向に伸縮し、弾性力をもって、ボディ２の後端開口へ嵌まり、容易に抜出することがない。
【００４２】
尚、尾栓８の係止片１０が設けられた箇所から後方の部分は、キャップ部材６の装着部１２として構成される。この装着部１２にキャップ部材６を嵌め込み、塗布具１の使用時に使用しやすい長さとなるよう工夫されている。
【００４３】
図１１は図６または図８のＡ−Ａ線断面図である。図１１に示すように、棒状芯材３はノーズピース部材１３を軸心方向に嵌挿してボディ２に取り付けられている。そして、棒状芯材３とノーズピース部材１３との当接面部には空気流通溝２２が設けられており、該空気流通溝２２により、外部とボディ２の内部とを連通させて棒状芯材３に染み込んだ液状塗布材の流れをスムーズにし、ペン先でのかすれや液不足が起きないように構成されている。この空気流通溝２２については、ノーズピース部材１３側に設けられているが、それに限定されない。棒状芯材３側に形成してもかまわない。また、この実施例では、空気流通溝２２は４カ所に設けられているが、設けられる箇所や個数についても何ら限定されない。図１２に示すような空気流通溝２２であっても構わない。
【００４４】
本実施例による塗布具１の使用時には、キャップ部材６をボディ２の保持部４から外す。そして、そして外したキャップ部材６を尾栓８の装着部１２の嵌め込むのである（図６参照）。これにより本実施例の塗布具１はきわめて使用しやすい長さを確保することが出来る。すなわち、未使用時には短くコンパクトな形状の塗布具として提供でき、使用時には長くすることが出来て使用しやすいものとなっているのである。
【００４５】
尚、前述した伸縮用空洞部１１であるが、尾栓８の先端側から装着部１２が構成された後端側に向かって、伸縮用空洞部１１における内径の大きさが徐々に大きくなるよう形成することも考えられる。このような構成であれば、より尾栓８のボディ２への取り付け強度を高めることが出来る。
【００４６】
次に、図７及び図８に本発明の第四実施例を示す。第四実施例では、棒状心材３として、いわゆる毛筆の筆先と同じように例えば、細い線状の合成繊維を束ねてブラシ状にし、このブラシ状に束ねたものを棒状芯材３として使用したものである。この様なブラシ状の棒状芯材３は、染みこませた液状塗布材を第一実施例のペンタイプより多く筆先内部に貯留できる。よってブラシ状の棒状芯材３の長さを短くしても、液切れしないため長期間の使用が出来る。
【００４７】
尚、本実施例のブラシタイプでは、筆先を毛筆の筆先のように細くすることが出来るため、もって細いラインを確実に引くことが出来る。また太いラインを引きたい場合には、筆先を描画箇所側に押し付けて描画すれば、太いラインであっても確実に引くことができる。この様に、ブラシの毛にハリがあるため、細いラインから太いラインまで、自在に引くことが出来るとの特徴を有している。
【符号の説明】
【００４８】
１      塗布具
２      ボディ
３      棒状芯材
４      保持部
５      貫通保持孔
６      キャップ部材
７      キャップ口
８      尾栓
９      押さえ部材
１０    係止片
１１    伸縮用空洞部
１２    装着部
１３    ノーズピース部材
１４    係止凹部
１５    係止凸部
１６    固定部材
１７    係止壁
１８    係止壁
１９    固定孔
２０    凸部
２１    凹部
２２    空気流通溝
２３    空間部
２４    外周突壁
２５    突壁